(57)【特許請求の範囲】
【請求項１】
通信事業者側回線終端装置と、前記通信事業者側回線終端装置から光伝送路を介して映像情報を含む第１の光信号を受信する１または複数の光端末装置と、前記光端末装置を監視する監視装置とを有するネットワークシステムにおいて、
前記監視装置は、
前記第１の光信号とは異なる波長を有する第２の光信号を出力する第１発光手段と、
前記光端末装置から前記光伝送路を介して伝送された、前記第２の光信号と同一の波長を有する第３の光信号を電気信号に変換する第１光電変換手段と、
前記第２の光信号を前記光伝送路に入射するとともに、前記光伝送路を介して伝送される前記第３の光信号を前記第１光電変換手段に入射する第１光学系と、
前記第１発光手段を制御して、前記光端末装置に送信する前記第２の光信号を生成して出力させる第１制御手段と、を有し、
前記光端末装置は、
前記第３の光信号を出力する第２発光手段と、
前記第１の光信号と、前記第２の光信号とをそれぞれ電気信号に変換する第２光電変換手段と、
前記第３の光信号を前記光伝送路に入射し、前記光伝送路を介して伝送される前記第２の光信号を前記第２光電変換手段に入射するとともに、前記光伝送路を介して伝送される前記第１の光信号を前記第２光電変換手段に入射する第２光学系と、
前記第２発光手段を制御して、前記監視装置に送信する前記第３の光信号を生成して出力させる第２制御手段と、
を有し、
少なくとも前記第１発光手段から前記第２の光信号が出力されている場合に、前記第１発光手段に前記第３の光信号が入射されるのを規制するとともに、
少なくとも前記第２発光手段から前記第３の光信号が出力されている場合に、前記第２発光手段に前記第２の光信号が入射されるのを規制する規制手段と、をさらに有する、
ことを特徴とするネットワークシステム。
【請求項２】
前記規制手段は、
前記第２の光信号を透過して前記光伝送路に入射し、前記第３の光信号を反射して前記第１光電変換手段に入射する第１偏光ビームスプリッタと、
前記第３の光信号が前記第１偏光ビームスプリッタによって反射されるように偏光状態を変換する第１の偏光変換手段と、
を有する前記第１光学系と、
前記第３の光信号を透過して前記光伝送路に入射し、前記光伝送路から出射される前記第１および第２の光信号を反射して前記第２光電変換手段に入射する第２偏光ビームスプリッタと、
前記第１および第２の光信号が前記偏光ビームスプリッタによって反射されるように偏光状態を変換する第２の偏光変換手段と、
を有する前記第２光学系と、
を含み構成されることを特徴とする請求項１に記載のネットワークシステム。
【請求項３】
前記規制手段は、
入射する第２および第３の光信号の一部を透過し、残部のうち前記第３の光信号を前記第１光電変換手段に向けて反射する第１のミラーと、
前記第１の発光手段と前記第１のミラーとの間に配され、前記第２の光信号を透過するとともに、前記第３の光信号を遮断する第１の光アイソレータと、
を有する前記第１光学系と、
入射する第２および第３の光信号の一部を透過し、残部のうち前記第２の光信号を前記第２光電変換手段に向けて反射する第２のミラーと、
前記第２の発光手段と前記第２のミラーとの間に配され、前記第３の光信号を透過するとともに、前記第２の光信号を遮断する第２の光アイソレータと、
を有する前記第２光学系と、
を含み構成されることを特徴とする請求項１に記載のネットワークシステム。
【請求項４】
前記規制手段は、
入射する第２および第３の光信号の一部を透過し、残部のうち前記第３の光信号を前記第１光電変換手段に入射する第１の光カプラと、
前記第１の発光手段と前記第１の光カプラとの間に配され、前記第２の光信号を透過するとともに、前記第３の光信号を遮断する第１の光アイソレータと、
を有する前記第１光学系と、
入射する第２および第３の光信号の一部を透過し、残部のうち前記第２の光信号を前記第２光電変換手段に入射する第２の光カプラと、
前記第２の発光手段と前記第２の光カプラとの間に配され、前記第３の光信号を透過するとともに、前記第２の光信号を遮断する第２の光アイソレータと、
を有する前記第２光学系と、
を含み構成されることを特徴とする請求項１に記載のネットワークシステム。
【請求項５】
前記規制手段は、前記光端末装置と前記監視装置とを半二重通信によって情報を送受信させることで、前記第１発光手段から前記第２の光信号が出力されている場合に、前記第１発光手段に前記第３の光信号が入射されるのを規制するとともに、前記第２発光手段から前記第３の光信号が出力されている場合に、前記第２発光手段に前記第２の光信号が入射されるのを規制することを特徴とする請求項１乃至４のいずれか１項に記載のネットワークシステム。
【請求項６】
前記光端末装置は、
前記第２の光信号を電気信号に変換する第３光電変換手段と、
前記光伝送路を介して伝送される前記第１および第２の光信号のうち前記第２の光信号を分波して前記第３光電変換手段に供給するとともに前記第１の光信号を前記第２光電変換手段に供給する分波手段と、
を有することを特徴とする請求項１乃至５のいずれか１項に記載のネットワークシステム。
【請求項７】
光伝送路を介して光信号を送受信することで他の光送受信器と通信を行う光送受信器であって、
所定の波長を有する第１の光信号を出力する発光手段と、
前記他の光送受信器から伝送された、前記第１の光信号と同一の波長を有する第２の光信号を電気信号に変換する光電変換手段と、
前記第１の光信号を前記光伝送路に入射するとともに、前記第２の光信号を前記光電変換手段に入射する光学系と、
前記発光手段を制御して、前記他の光送受信器に送信する前記第１の光信号を生成して出力させる制御手段と、
少なくとも前記発光手段から前記第１の光信号が出力されている場合に、前記発光手段に前記第２の光信号が入射されるのを規制する規制手段と、
を有することを特徴とする光送受信器。
【発明の詳細な説明】
【技術分野】
【０００１】
本発明は、ネットワークシステムおよび光送受信器に関するものである。
【背景技術】
【０００２】
近年、ＣＡＴＶ等のネットワークシステムでは、個々の加入者宅まで光ファイバーケーブルを引き込み、全ての伝送路を完全に光ファイバ化したＦＴＴＨ（Fiver to the Home）方式を用いるシステムが普及している（例えば、特許文献１参照。）。
【０００３】
図１０は、ＦＴＴＨ方式を使用するネットワークシステムの構成を示す図である。この図１０に示すネットワークシステムは、通信事業者側回線終端装置７０、光分岐部３０、ＰＣ（Personal Computer）２０、ＦＳＫ（Frequency Shift Keying）変調部２２、光分岐部５０，５１、および、加入者側回線終端装置８０を有している。
【０００４】
ここで、ＰＣ２０は、加入者側回線終端装置８０に送信する情報を生成して出力する。ＦＳＫ変調部２２は、ＰＣ２０から供給される情報をＦＳＫ変調して出力する。
【０００５】
通信事業者側回線終端装置７０は、光送信部１１、光アンプ１２、および、マルチプレクサ１３を有している。マルチプレクサ１３は、ＦＳＫ変調部２２から供給されるＦＳＫ信号と、映像信号とを重畳して光送信部１１に供給する。光送信部１１は、マルチプレクサ１３から供給される電気信号を光信号に変換して光アンプ１２に供給する。光アンプ１２は、光送信部１１から供給される光信号を増幅して光分岐部３０に供給する。
【０００６】
光分岐部３０は、光アンプ１２から供給される光信号を分岐して出射する。光分岐部５０，５１も同様に入射された光信号を分岐して出射する。
【０００７】
加入者側回線終端装置８０は、光分岐部５１から供給された光信号を入射し、電気信号に変換して出力するとともに、光信号に含まれているＦＳＫ信号を抽出し、ＦＳＫ信号に含まれている情報に基づいて、装置の各部を制御する。
【０００８】
図１１は、図１０に示す加入者側回線終端装置８０の詳細な構成を示す図である。図１１に示すように加入者側回線終端装置８０は、光受信部８０１、ＬＰＦ（Low Pass Filter）８０２、ＨＰＦ（High Pass Filter）８０３、ＦＳＫ復調部８０４、制御部８０５、および、帯域制限部８０６を有している。
【０００９】
ここで、光受信部８０１は、光分岐部５１から供給される光信号を電気信号に変換して出力する。ＬＰＦ８０２は、光受信部８０１から供給される電気信号に含まれる低周波成分であるＦＳＫ信号を通過させ、それ以外の成分は減衰して出力する。ＨＰＦ８０３は、光受信部８０１から供給される電気信号に含まれる高周波成分である映像信号を通過させ、それ以外の成分は減衰して出力する。ＦＳＫ復調部８０４は、ＬＰＦ８０２から供給されるＦＳＫ信号を復調して得られる情報を制御部８０５に供給する。制御部８０５は、ＦＳＫ復調部８０４から供給される情報に基づいて、装置の各部を制御する。帯域制限部８０６は、制御部８０５の制御に応じて、加入者の契約により視聴できない帯域を制限する。なお、帯域制限部８０６から出力される映像信号は、図示しないテレビジョン受像機に供給される。
【００１０】
このようなネットワークシステムでは、例えば、加入者側回線終端装置８０が有するファームウエアを最新のものに更新する場合には、ファームウエアを含む情報をＦＳＫ変調部２２に供給し、通信事業者側回線終端装置７０から全ての加入者側回線終端装置８０に対してブロードキャストによって送信することで、ファームウエアを更新することができる。
【００１１】
また、加入者側回線終端装置８０が契約によって視聴できない帯域を制限する情報である帯域制限情報を、対象となる加入者側回線終端装置８０を特定するための情報とともに、通信事業者側回線終端装置７０から送信し、加入者側回線終端装置８０では、自己宛に送信された情報を選択して受信し、帯域制限情報に基づいて帯域制限部８０６が帯域制限を行うことで、契約内容に基づいた帯域制限を行うことができる。
【先行技術文献】
【特許文献】
【００１２】
【特許文献１】米国特許第５８４１５６３号
【発明の概要】
【発明が解決しようとする課題】
【００１３】
ところで、図１０および図１１に示す従来技術では、ＰＣ２０は加入者側回線終端装置のそれぞれの状態を知ることができないことから、加入者側回線終端装置を適切に制御することができないという問題点がある。
【００１４】
より詳細には、例えば、図１０および図１１に示す従来技術では通常、コストの面から片方向、即ち通信事業者側回線終端装置７０側から加入者側回線終端装置８０側にのみ信号を伝送するシステムとなっているため、通信事業者側回線終端装置７０側から伝送される制御信号による制御に対して、加入者側回線終端装置８０側で当該制御が反映されない場合も考えられ、さらには、当該制御が適切に行われているか確かめられないという問題点がある。
【００１５】
上記の問題点の解決策として、例えば、ＰＣ２０から同じ制御信号を複数回送り、加入者側回線終端装置８０でそのうち所定回受信した場合に当該制御を反映するという方法等が挙げられるが、伝送方式が複雑になるに加え、結局加入者側回線終端装置８０において適切な制御が行われているかどうかを監視することはできていない。
【００１６】
また、ＰＣ２０において加入者側回線終端装置８０のそれぞれの状態を知るためには、ＰＣと加入者側回線終端装置８０との間で通信を行う必要があるが、この場合、映像信号に影響を与えることなくこれらの通信を行うためには、これらの通信用の光ファイバを新たに敷設する必要があり、コストが高くなるという問題点がある。
【００１７】
本発明は、上記の課題に鑑み、比較的少ないコストの増加で、加入者側回線終端装置の状態を知ることが可能なネットワークシステムおよび光送受信器を提供することを目的としている。
【課題を解決するための手段】
【００１８】
上記課題を解決するために、本発明は、通信事業者側回線終端装置と、前記通信事業者側回線終端装置から光伝送路を介して映像情報を含む第１の光信号を受信する１または複数の光端末装置と、前記光端末装置を監視する監視装置とを有するネットワークシステムにおいて、前記監視装置は、前記第１の光信号とは異なる波長を有する第２の光信号を出力する第１発光手段と、前記光端末装置から前記光伝送路を介して伝送された、前記第２の光信号と同一の波長を有する第３の光信号を電気信号に変換する第１光電変換手段と、前記第２の光信号を前記光伝送路に入射するとともに、前記光伝送路を介して伝送される前記第３の光信号を前記第１光電変換手段に入射する第１光学系と、前記第１発光手段を制御して、前記光端末装置に送信する前記第２の光信号を生成して出力させる第１制御手段と、を有し、前記光端末装置は、前記第３の光信号を出力する第２発光手段と、前記第１の光信号と、前記第２の光信号とをそれぞれ電気信号に変換する第２光電変換手段と、前記第３の光信号を前記光伝送路に入射し、前記光伝送路を介して伝送される前記第２の光信号を前記第２光電変換手段に入射するとともに、前記光伝送路を介して伝送される前記第１の光信号を前記第２光電変換手段に入射する第２光学系と、前記第２発光手段を制御して、前記監視装置に送信する前記第３の光信号を生成して出力させる第２制御手段と、を有し、少なくとも前記第１発光手段から前記第２の光信号が出力されている場合に、前記第１発光手段に前記第３の光信号が入射されるのを規制するとともに、少なくとも前記第２発光手段から前記第３の光信号が出力されている場合に、前記第２発光手段に前記第２の光信号が入射されるのを規制する規制手段と、をさらに有する、ことを特徴とする。
このような構成によれば、比較的少ないコストの増加で、加入者側回線終端装置の状態を知ることが可能となる。
【００１９】
また、本発明は、前記規制手段は、前記第２の光信号を透過して前記光伝送路に入射し、前記第３の光信号を反射して前記第１光電変換手段に入射する第１偏光ビームスプリッタと、前記第３の光信号が前記第１偏光ビームスプリッタによって反射されるように偏光状態を変換する第１の偏光変換手段と、を有する前記第１光学系と、前記第３の光信号を透過して前記光伝送路に入射し、前記光伝送路から出射される前記第１および第２の光信号を反射して前記第２光電変換手段に入射する第２偏光ビームスプリッタと、前記第１および第２の光信号が前記偏光ビームスプリッタによって反射されるように偏光状態を変換する第２の偏光変換手段と、を有する前記第２光学系と、を含み構成されることを特徴とする。
このような構成によれば、偏光ビームスプリッタと１／４波長板等を用いることで、簡単な構成によって加入者側回線終端装置の状態を知ることが可能となる。
【００２０】
また、本発明は、前記規制手段は、入射する第２および第３の光信号の一部を透過し、残部のうち前記第３の光信号を前記第１光電変換手段に向けて反射する第１のミラーと、前記第１の発光手段と前記第１のミラーとの間に配され、前記第２の光信号を透過するとともに、前記第３の光信号を遮断する第１の光アイソレータと、を有する前記第１光学系と、入射する第２および第３の光信号の一部を透過し、残部のうち前記第２の光信号を前記第２光電変換手段に向けて反射する第２のミラーと、前記第２の発光手段と前記第２のミラーとの間に配され、前記第３の光信号を透過するとともに、前記第２の光信号を遮断する第２の光アイソレータと、を有する前記第２光学系と、を含み構成されることを特徴とする。
このような構成によれば、ミラーとアイソレータを用いることで、簡単な構成によって加入者側回線終端装置の状態を知ることが可能となる。
【００２１】
また、本発明は、前記規制手段は、入射する第２および第３の光信号の一部を透過し、残部のうち前記第３の光信号を前記第１光電変換手段に入射する第１の光カプラと、前記第１の発光手段と前記第１の光カプラとの間に配され、前記第２の光信号を透過するとともに、前記第３の光信号を遮断する第１の光アイソレータと、を有する前記第１光学系と、入射する第２および第３の光信号の一部を透過し、残部のうち前記第２の光信号を前記第２光電変換手段に入射する第２の光カプラと、前記第２の発光手段と前記第２の光カプラとの間に配され、前記第３の光信号を透過するとともに、前記第２の光信号を遮断する第２の光アイソレータと、を有する前記第２光学系と、を含み構成されることを特徴とする。
このような構成によれば、光カプラと光アイソレータを用いることで、簡単な構成によって加入者側回線終端装置の状態を知ることが可能となる。
【００２２】
また、本発明は、前記規制手段は、前記光端末装置と前記監視装置とを半二重通信によって情報を送受信させることで、前記第１発光手段から前記第２の光信号が出力されている場合に、前記第１発光手段に前記第３の光信号が入射されるのを規制するとともに、前記第２発光手段から前記第３の光信号が出力されている場合に、前記第２発光手段に前記第２の光信号が入射されるのを規制することを特徴とする。
このような構成によれば、半二重通信を用いることで、簡単な構成によって加入者側回線終端装置の状態を知ることが可能となる。
【００２３】
また、本発明は、前記光端末装置は、前記第２の光信号を電気信号に変換する第３光電変換手段と、前記光伝送路を介して伝送される前記第１および第２の光信号のうち前記第２の光信号を分波して前記第３光電変換手段に供給するとともに前記第１の光信号を前記第２光電変換手段に供給する分波手段と、を有することを特徴とする。
このような構成によれば、第１の光信号の劣化を抑えることができる。
【００２４】
本発明は、光伝送路を介して光信号を送受信することで他の光送受信器と通信を行う光送受信器であって、所定の波長を有する第１の光信号を出力する発光手段と、前記他の光送受信器から伝送された、前記第１の光信号と同一の波長を有する第２の光信号を電気信号に変換する光電変換手段と、前記第１の光信号を前記光伝送路に入射するとともに、前記第２の光信号を前記光電変換手段に入射する光学系と、前記発光手段を制御して、前記他の光送受信器に送信する前記第１の光信号を生成して出力させる制御手段と、少なくとも前記発光手段から前記第１の光信号が出力されている場合に、前記発光手段に前記第２の光信号が入射されるのを規制する規制手段と、を有することを特徴とする。
このような構成によれば、比較的少ないコストの増加で、加入者側回線終端装置の状態を知ることが可能となる。
【発明の効果】
【００２５】
本発明によれば、比較的少ないコストの増加で、加入者側回線終端装置の状態を知ることが可能なネットワークシステムおよび光送受信器を提供することが可能となる。
【図面の簡単な説明】
【００２６】
【図１】本発明の実施形態に係るネットワークシステムの構成例を示す図である。
【図２】図１に示す監視装置の構成例を示す図である。
【図３】図２に示す光送受信部の構成例を示す図である。
【図４】図１に示す加入者側回線終端装置の構成例を示す図である。
【図５】図４に示す光送受信部の構成例を示す図である。
【図６】図１に示す加入者側回線終端装置が受信する信号の周波数を示す図である。
【図７】図２に示す光送受信部の他の構成例を示す図である。
【図８】図４に示す光送受信部の他の構成例を示す図である。
【図９】図４に示す光送受信部の他の構成例を示す図である。
【図１０】従来のネットワークシステムの構成を示す図である。
【図１１】図１０に示す加入者側回線終端装置の構成を示す図である。
【発明を実施するための形態】
【００２７】
次に、本発明の実施形態について説明する。
【００２８】
（Ａ）本発明の実施形態の構成の説明
図１は、本発明の実施形態に係るネットワークシステムの構成例を示す図である。この図に示すように、本発明の実施形態に係るネットワークシステムは、通信事業者側回線終端装置１０、ＰＣ２０、監視装置２１、ＬＡＮ（Local Area Network）２２、光分岐部３０、ＷＤＭ（Wavelength Division Multiplexer）４０、光分岐部５０，５１、および、加入者側回線終端装置６０を有している。なお、通信事業者側回線終端装置１０、監視装置２１、光分岐部３０、ＷＤＭ４０、光分岐部５０，５１、および、加入者側回線終端装置６０は各々光ファイバ等の光伝送路を介して接続されており、ＰＣ２０はＬＡＮ２２を介して監視装置２１に接続されている。また、図１では、加入者側回線終端装置６０は１台だけ示しているが実際には複数の加入者側回線終端装置が存在する。
【００２９】
ここで、通信事業者側回線終端装置１０は、光送信部１１、光アンプ１２、および、１／４波長板１４を有している。光送信部１１は、映像信号を、例えば、波長が１５５０ｎｍの光信号に変換して光アンプ１２に供給する。光アンプ１２は、光送信部１１から供給される光信号を増幅して１／４波長板１４に供給する。１／４波長板１４は、入射光の電界振動方向（偏光面）にπ／２（＝λ／４）の位相差を与えることにより、光アンプ１２から出力される直線偏光を円偏光に変換する。
【００３０】
ＰＣ２０は、ＬＡＮ２２を介して監視装置２１と接続され、ＬＡＮ２２を介して監視装置２１を制御して、加入者側回線終端装置６０に所定の情報を送信するとともに、監視装置２１によって加入者側回線終端装置６０から受信した情報を、ＬＡＮ２２を介して受信する。監視装置２１は、ＰＣ２０から供給される情報をＦＳＫ変調し、映像信号と異なる光波長、例えば、１６１０ｎｍの光信号に変換して加入者側回線終端装置６０に送信するとともに、加入者側回線終端装置６０から送信される映像信号と異なる光波長、例えば、１６１０ｎｍの光信号に重畳される情報を抽出して、ＰＣ２０に供給する。
【００３１】
図２は、図１に示す監視装置２１の詳細な構成例を示す図である。この図２に示すように、監視装置２１は、制御部２１１、ＦＳＫ変調部２１２、ＦＳＫ復調部２１３、および、光送受信部２１４を有している。ここで、制御部２１１は、ＬＡＮ２２を介してＰＣ２０との間で情報を授受するとともに、ＰＣ２０の制御に応じて所定の情報をＦＳＫ変調部２１２に供給する。また、制御部２１１は、ＦＳＫ復調部２１３から供給される情報をＰＣ２０に供給する。ＦＳＫ変調部２１２は、制御部２１１から供給される情報をＦＳＫ変調して光送受信部２１４に供給する。光送受信部２１４は、ＦＳＫ変調部２１２から供給される電気信号を、映像信号と異なる光波長、例えば、１６１０ｎｍの光信号に変換して出射する。また、光送受信部２１４は、加入者側回線終端装置６０からＷＤＭ４０を介して供給される映像信号と異なる光波長、例えば、１６１０ｎｍの光信号を電気信号に変換してＦＳＫ復調部２１３に供給する。ＦＳＫ復調部２１３は、光送受信部２１４から供給される電気信号をＦＳＫ復調して得られる情報を制御部２１１に供給する。
【００３２】
図３は、図２に示す光送受信部２１４の詳細な構成例を示す図である。この図３に示すように、光送受信部２１４は、レーザダイオード２１４１、偏光ビームスプリッタ２１４２、フォトダイオード２１４３、コリメータレンズ２１４４、１／４波長板２１４５、および、集光レンズ２１４６を有している。なお、図３の上下方向をＸ方向とし、紙面に垂直な方向をＹ方向とし、左右方向をＺ方向とする。
【００３３】
レーザダイオード２１４１は、ＦＳＫ変調部２１２から出力される電気信号に応じて波長が１６１０ｎｍの光信号を出射する。偏光ビームスプリッタ２１４２は、Ｘ方向に直線偏光している光信号は通過し、Ｙ方向に直線偏光している光信号は図３の上方向に反射する。
【００３４】
フォトダイオード２１４３は、加入者側回線終端装置から送信され、偏光ビームスプリッタ２１４２によって反射された光信号を入射して電気信号に変換し、ＦＳＫ復調部２１３に供給する。コリメータレンズ２１４４は、偏光ビームスプリッタ２１４２から出射される光信号が平行光線になるように収差補正する。
【００３５】
１／４波長板２１４５は、入射光の電界振動方向（偏光面）にπ／２（＝λ／４）の位相差を与えることにより、直線偏光を円偏光に変換するとともに、円偏光を直線偏光に変換する。集光レンズ２１４６は１／４波長板２１４５から出射される光信号を集光して光ファイバ２１４７に入射するとともに、光ファイバ２１４７から出射される光信号を１／４波長板２１４５に入射する。光ファイバ２１４７は、ＷＤＭ４０に接続され、集光レンズ２１４６から出射される光信号をＷＤＭ４０に供給するとともに、ＷＤＭ４０から出射される光信号を集光レンズ２１４６に供給する。
【００３６】
図１に戻る。光分岐部３０は、光アンプ１２から供給される光信号を分岐してＷＤＭ４０に出射する。ＷＤＭ４０は、光分岐部３０から供給される波長が１５５０ｎｍの光信号と、監視装置２１から供給される映像信号と異なる光波長、例えば、１６１０ｎｍの光信号を合波して光分岐部５０に供給する。また、ＷＤＭ４０は、光分岐部５０から供給される加入者側回線終端装置６０の監視情報の光信号である、映像信号と異なる光波長、例えば、１６１０ｎｍの光信号を分波し、光分岐部３０への供給を遮断して、監視装置２１に供給する。なお、図１では、図面を簡略化するために１つのＷＤＭ４０のみを示しているが、複数のＷＤＭ４０が光分岐部３０に接続されるようにしてもよい。または、光アンプ１２と光分岐部３０の間にＷＤＭ４０が接続される構成でもよい。
【００３７】
光分岐部５０は、ＷＤＭ４０から出射される光信号を分岐して光分岐部５１およびその他の光分岐部（図示しない）に供給するとともに、光分岐部５１およびその他の光分岐部（図示しない）から供給される光信号を合波してＷＤＭ４０に供給する。光分岐部５１は、光分岐部５０から出射される光を分岐して加入者側回線終端装置６０およびその他の加入者側回線終端装置（図示しない）に供給するとともに、加入者側回線終端装置６０およびその他の加入者側回線終端装置（図示しない）から供給される光信号を合波して光分岐部５０に供給する。
【００３８】
加入者側回線終端装置６０は、通信事業者側回線終端装置１０から送信される光信号を受信して電気信号に変換し、後段の装置（例えば、テレビジョン受像機）に供給する。また、加入者側回線終端装置６０は、監視装置２１から伝送される光信号を受信するとともに、対応する情報を光信号として監視装置２１に送信する。
【００３９】
図４は、加入者側回線終端装置６０の構成例を示す図である。この図４に示すように、加入者側回線終端装置６０は、光送受信部６０１、ＦＳＫ変調部６０２、ＬＰＦ６０３、ＨＰＦ６０４、ＦＳＫ復調部６０５、制御部６０６、および、帯域制限部６０７を有している。
【００４０】
ここで、光送受信部６０１は、光分岐部５１から出射される光信号を電気信号に変換してＬＰＦ（Low Pass Filter）６０３およびＨＰＦ（High Pass Filter）６０４に供給するとともに、ＦＳＫ変調部６０２から供給される電気信号を光信号に変換して光分岐部５１に供給する。ＦＳＫ変調部６０２は、制御部６０６から出力される信号をＦＳＫ変調して光送受信部６０１に供給する。ＬＰＦ６０３は、光送受信部６０１から出力される電気信号に含まれている低周波成分であるＦＳＫ信号を通過させてＦＳＫ復調部６０５に供給し、それ以外の成分は減衰する。ＨＰＦ６０４は、光送受信部６０１から出力される電気信号に含まれている高周波成分である映像信号を通過させて帯域制限部６０７に供給し、それ以外の成分は減衰する。
【００４１】
ＦＳＫ復調部６０５は、ＬＰＦ６０３から出力される電気信号を復調して制御部６０６に供給する。制御部６０６は、ＦＳＫ復調部６０５から供給される情報に基づいて各部を制御する。ＦＳＫ変調部６０２は、制御部６０６から出力される情報をＦＳＫ変調して光送受信部６０１に供給する。光送受信部６０１は、ＦＳＫ変調部６０２から出力される電気信号を光信号に変換し、光分岐部５１を介して監視装置２１に供給する。帯域制限部６０７は、制御部６０６の制御に基づいて、ＨＰＦ６０４から出力される映像信号の帯域制限を実行し、後段の装置（例えば、図示しないテレビジョン受像機）に供給する。
【００４２】
図５は、図４に示す光送受信部６０１の構成例を示している。この図５に示すように、光送受信部６０１は、集光レンズ６０１２、１／４波長板６０１３、コリメータレンズ６０１４、偏光ビームスプリッタ６０１５、フォトダイオード６０１６、および、レーザダイオード６０１７を有している。なお、図５の上下方向をＸ方向とし、紙面に垂直な方向をＹ方向とし、左右方向をＺ方向とする。
【００４３】
レーザダイオード６０１７は、ＦＳＫ変調部６０２から出力される電気信号に応じて波長が１６１０ｎｍの光信号を出射する。偏光ビームスプリッタ６０１５は、Ｘ方向に直線偏光している光信号は通過し、Ｙ方向に直線偏光している光信号は反射する。
【００４４】
フォトダイオード６０１６は、監視装置２１および通信事業者側回線終端装置１０から送信され、偏光ビームスプリッタ６０１５によって反射された光信号を入射して電気信号に変換し、ＦＳＫ復調部６０５に供給する。コリメータレンズ６０１４は偏光ビームスプリッタ６０１５から出射される光信号が平行光線になるように収差補正する。
【００４５】
１／４波長板６０１３は、入射光の電界振動方向（偏光面）にπ／２（＝λ／４）の位相差を与えることにより、直線偏光を円偏光に変換するとともに、円偏光を直線偏光に変換する。集光レンズ６０１２は、１／４波長板６０１３から出射される光信号を集光して光ファイバ６０１１に入射するとともに、光ファイバ６０１１から出射される光信号を１／４波長板６０１３に入射する。光ファイバ６０１１は、光分岐部５１に接続され、集光レンズ６０１２から出射される光信号を光分岐部５１に供給するとともに、光分岐部５１から出射される光信号を集光レンズ６０１２に供給する。
【００４６】
（Ｂ）本発明の実施形態の動作の説明
つぎに、本発明の実施形態の動作を説明する。以下では、通信事業者側回線終端装置１０から加入者側回線終端装置６０へ映像信号を伝送する動作について説明した後に、監視装置２１と加入者側回線終端装置６０との間で状態情報を伝送する動作について説明する。
【００４７】
光送信部１１は、映像信号を波長が１５５０ｎｍの光信号に変換し、光アンプ１２に供給する。光アンプ１２は、光信号を増幅して１／４波長板１４に出射する。１／４波長板１４は、光アンプ１２から出射される直線偏光している光信号を、例えば、進行方向に対して右旋回（時計方向に旋回）する円偏光に変換して光分岐部３０に供給する。光分岐部３０は、光信号を分岐してＷＤＭ４０に出射する。ＷＤＭ４０は、光分岐部３０から供給される波長が１５５０ｎｍの光信号と、監視装置２１から供給される波長が１６１０ｎｍの光信号を合波して、光分岐部５０に供給する。なお、波長が１５５０ｎｍの光信号には、図６に示すように周波数がｆ３〜ｆ４の映像信号が含まれている。また、波長が１６１０ｎｍの光信号には、周波数がｆ１〜ｆ２のＦＳＫ信号（詳細は後述する）が含まれている。
【００４８】
光分岐部５０は、ＷＤＭ４０から供給される光信号を分岐して光分岐部５１およびその他の光分岐部（図示しない）に供給する。光分岐部５１は、光分岐部５０から供給される光信号を分岐して加入者側回線終端装置６０およびその他の加入者側回線終端装置（図示しない）に供給する。なお、加入者側回線終端装置６０の数に合わせて適宜光分岐部５１を省略してもよいし、光分岐部５１の後段にさらに光分岐部を追加してもよい。
【００４９】
加入者側回線終端装置６０では、光分岐部５１から供給される光信号を、光送受信部６０１に供給する。光送受信部６０１では、集光レンズ６０１２が光分岐部５１から光ファイバ６０１１を介して伝送された光信号を１／４波長板６０１３に出射する。１／４波長板６０１３は、集光レンズ６０１２から出射される波長が１５５０ｎｍの円偏光している光信号をＹ方向の直線偏光に変換してコリメータレンズ６０１４に出射する。コリメータレンズ６０１４は、１／４波長板６０１３から出射される光信号を集光して偏光ビームスプリッタ６０１５に供給する。
【００５０】
偏光ビームスプリッタ６０１５は、コリメータレンズ６０１４から出射されるＹ方向に直線偏光している光信号を反射して、フォトダイオード６０１６に供給する。フォトダイオード６０１６は、偏光ビームスプリッタ６０１５から供給される光信号を電気信号に変換し、ＬＰＦ６０３とＨＰＦ６０４に供給する。
【００５１】
ＨＰＦ６０４は、光送受信部６０１から供給される電気信号に含まれる高周波成分を通過し、それ以外の成分を減衰して出力する。図６を参照して前述したように、フォトダイオード６０１６から供給される電気信号には、周波数がｆ１〜ｆ２のＦＳＫ信号と、周波数がｆ３〜ｆ４の映像信号が含まれている。ＨＰＦ６０４は、周波数がｆ１〜ｆ２のＦＳＫ信号を減衰させ、周波数がｆ３〜ｆ４の映像信号を通過させる。ＨＰＦ６０４を通過した映像信号は、帯域制限部６０７に供給される。帯域制限部６０７は、図６に示す映像信号のうち、加入者との契約に基づいて、視聴できない帯域は制限し、後段の装置であるテレビジョン受像機に供給する。この結果、加入者は、契約している帯域の映像のみを視聴することができる。視聴できない帯域の制限方法としては、例えば、ＲＦスイッチ等により当該帯域を終端する方法等がある。
【００５２】
つぎに、状態情報を伝送する動作について説明する。以下では、まず、動作原理を説明した後に、具体例を挙げて説明する。図１に示す実施形態では、加入者側回線終端装置のそれぞれの状態（例えば、動作状態や設定状態）を監視装置２１が知るための情報である照会情報を監視装置２１が送信する。より詳細には、例えば、監視装置２１が加入者側回線終端装置６０の動作状態を照会する場合、制御部２１１は、加入者側回線終端装置６０の動作状態を照会するための照会情報に対して、加入者側回線終端装置６０を送信先とする情報を付加したパケットを生成し、ＦＳＫ変調部２１２に供給する。ＦＳＫ変調部２１２は、このような情報をＦＳＫ変調し、図６に示す周波数ｆ１〜ｆ２の信号を生成する。ＦＳＫ変調部２１２によって生成されたこのような電気信号は、光送受信部２１４のレーザダイオード２１４１に供給される。レーザダイオード２１４１は、電気信号に応じた強度を有する１６１０ｎｍの光信号を出射する。レーザダイオード２１４１から出射される光信号のうち、Ｘ方向に直線偏光している光は偏光ビームスプリッタ２１４２を通過してコリメータレンズ２１４４に供給される。なお、レーザダイオード２１４１から出射される光信号のうち、Ｙ方向に直線偏光している光は偏光ビームスプリッタ２１４２によって図の上方向（Ｘ方向）に反射される。偏光ビームスプリッタ２１４２を通過した光信号は、コリメータレンズ２１４４によって平行光線に収差補正されて１／４波長板２１４５に供給される。１／４波長板２１４５は、コリメータレンズ２１４４から出射される直線偏光している光信号を、例えば、進行方向に対して右方向に旋回（時計方向に旋回）する円偏光した光信号に変換して集光レンズ２１４６に出射する。集光レンズ２１４６は１／４波長板２１４５から出射される光信号を集光して光ファイバ２１４７に入射する。光ファイバ２１４７は、集光レンズ２１４６から出射される光信号をＷＤＭ４０に伝送する。ＷＤＭ４０に供給された光信号は、光分岐部３０から供給される波長が１５５０ｎｍの光信号と重畳され光分岐部５０，５１を介して加入者側回線終端装置６０に伝送される。
【００５３】
加入者側回線終端装置６０では、光ファイバ６０１１から出射される光信号を集光レンズ６０１２が１／４波長板６０１３に供給する。１／４波長板６０１３は、集光レンズ６０１２から出射される円偏光している光信号をＹ方向に直線偏光した光信号に変換して出射する。コリメータレンズ６０１４は、１／４波長板６０１３から出射される光信号を偏光ビームスプリッタ６０１５に供給する。偏光ビームスプリッタ６０１５は、Ｙ方向に直線偏光している光信号は反射してフォトダイオード６０１６に供給する。フォトダイオード６０１６は、偏光ビームスプリッタ６０１５から供給される光信号を電気信号に変換してＬＰＦ６０３およびＨＰＦ６０４に供給する。
【００５４】
ＬＰＦ６０４は、フォトダイオード６０１６から出力される電気信号に含まれている周波数がｆ１〜ｆ２のＦＳＫ信号を通過させ、それ以外の信号を減衰してＦＳＫ復調部６０５に供給する。ＦＳＫ復調部６０５は、ＬＰＦ６０３から供給されるＦＳＫ信号を復調し、得られた照会情報を制御部６０６に供給する。
【００５５】
制御部６０６は、ＦＳＫ復調部６０５から出力される情報を参照し、送信先が自己宛であり、また、動作状態を照会する照会情報であることを認識する。この結果、制御部６０６は、自己の動作状態（例えば、各部の動作状態を示す情報）を取得する。そして、検出した動作状態を示す情報等を含む状態情報について、監視装置２１を送信先とし、加入者側回線終端装置６０を送信元とするパケットを生成し、ＦＳＫ変調部６０２に供給する。ＦＳＫ変調部６０２は、制御部６０６から供給されたパケットをＦＳＫ変調して図６に示すｆ１〜ｆ２の周波数の信号を生成し、光送受信部６０１のレーザダイオード６０１７に供給する。レーザダイオード６０１７は、電気信号に対応する強度を有する１６１０ｎｍの光信号を発生して出射する。レーザダイオード６０１７から出射される光信号のうち、Ｘ方向に直線偏光している光は偏光ビームスプリッタ６０１５を通過してコリメータレンズ６０１４に供給される。なお、レーザダイオード６０１７から出射される光信号のうち、Ｙ方向に直線偏光している光は偏光ビームスプリッタ６０１５によって図の上方向（Ｘ方向）に反射される。偏光ビームスプリッタ６０１５を通過した光信号は、コリメータレンズ６０１４によって平行光線に収差補正して１／４波長板６０１３に供給される。１／４波長板６０１３は、コリメータレンズ６０１４から出射される直線偏光している光信号を、例えば、進行方向に対して右方向に旋回（時計方向に旋回）する円偏光している光信号に変換して集光レンズ６０１２に出射する。集光レンズ６０１２は１／４波長板６０１３から出射される光信号を集光して光ファイバ６０１１に入射する。光ファイバ６０１１は、集光レンズ６０１２から出射される光信号を光分岐部５１に伝送する。光分岐部５１に供給された光信号は、光分岐部５０を介してＷＤＭ４０に供給される。ＷＤＭ４０は、光分岐部５０から供給される波長が１６１０ｎｍの光信号を監視装置２１の光送受信部２１４に供給する。
【００５６】
光送受信部２１４では、光ファイバ２１４７から出射された光信号が集光レンズ２１４６を介して１／４波長板２１４５に供給される。１／４波長板２１４５は、集光レンズ２１４６から出射される円偏光している光信号をＹ方向に直線偏光している光信号に変換して出射する。１／４波長板２１４５から出射される光信号は、コリメータレンズ２１４４を介して偏光ビームスプリッタ２１４２に供給される。偏光ビームスプリッタ２１４２は、コリメータレンズ２１４４から出射されるＹ方向に直線偏光する光信号を反射してフォトダイオード２１４３に供給する。フォトダイオード２１４３は、偏光ビームスプリッタ２１４２から出射される光信号を電気信号に変換してＦＳＫ復調部２１３に供給する。
【００５７】
ＦＳＫ復調部２１３は、フォトダイオード２１４３から供給される電気信号をＦＳＫ復調して制御部２１１に供給する。制御部２１１は、ＦＳＫ復調部２１３から供給される情報を参照し、送信先が自己宛であることから、そこに含まれる状態情報と、送信元情報を取得する。この結果、制御部２１１は、加入者側回線終端装置６０の動作状態を知ることができる。そして、例えば、加入者側回線終端装置６０に異常が発生している場合に、異常に関する詳細な情報をＰＣ２０に提供して表示させることで、管理者に対して異常の発生に関する情報を提示することができる。
【００５８】
以上に説明したように、本発明の実施形態によれば、監視装置２１を設け、この監視装置２１から加入者側回線終端装置６０に対して照会情報を、映像信号とは異なる波長の光信号に重畳して送信し、加入者側回線終端装置６０は映像信号とは異なる波長の光信号に状態情報を重畳して送信するようにしたので、光ファイバを増設することなく、加入者側回線終端装置６０の動作状態を知ることができる。
【００５９】
また、監視装置２１では、図３に示すように、加入者側回線終端装置から送信される１６１０ｎｍの光信号を１／４波長板２１４５によって直線偏光に変換し、偏光ビームスプリッタ２１４２によって反射するようにした。これにより、偏光ビームスプリッタ２１４２に入射される１６１０ｎｍの光信号の大半は反射されてレーザダイオード２１４１には入射されないので、発振波長と同一波長の光信号がレーザダイオード２１４１に入射されて動作が不安定になることを防止することができる。
【００６０】
また、加入者側回線終端装置では、図５に示すように、監視装置２１から送信される１６１０ｎｍの光信号を１／４波長板６０１３によって直線偏光に変換し、偏光ビームスプリッタ６０１５によって反射するようにした。これにより、偏光ビームスプリッタ６０１５に入射される１６１０ｎｍの光信号の大半は反射されてレーザダイオード６０１７には入射されないので、発振波長と同一波長の光信号がレーザダイオード６０１７に入射されて動作が不安定になることを防止することができる。
【００６１】
なお、１／４波長板１４、１／４波長板２１４５、および、１／４波長板６０１３は、１６１０ｎｍの１／４波長になるように設定しているので、光アンプ１２から出射され１／４波長板１４を通過した波長が１５５０ｎｍの光信号は、正確には円偏光ではなく楕円偏光になり、集光レンズ６０１２を介して１／４波長板６０１３を通過した１５５０ｎｍの光信号は、Ｙ方向から若干乖離した直線偏光の状態になる。このため、偏光ビームスプリッタ６０１５に入射された１５５０ｎｍの光信号のごく一部はレーザダイオード６０１７に入射されるが、レーザダイオード６０１７の発振波長とは異なり、また、光量も微弱であることから、１５５０ｎｍの光信号がレーザダイオード６０１７に与える影響は無視できる程度に僅少とすることができる。
【００６２】
つぎに、より詳細な動作について説明する。以下では、監視装置２１から制御プログラムを全ての加入者側回線終端装置に対して送信する場合を例に挙げて説明する。なお、以下では制御プログラムとしてファームウエアが送信される場合を例に挙げる。
【００６３】
監視装置２１の制御部２１１は、送信しようとするファームウエアを所定量のデータに分割するとともに、全ての加入者側回線終端装置を送り先とする情報（例えば、ブロードキャスト用アドレス）と、ファームウエアを更新するように要求する制御情報を付加したパケットを生成し、パケット毎にＦＳＫ変調部２１２に供給する。
【００６４】
ＦＳＫ変調部２１２は、制御部２１１から供給された情報をＦＳＫ変調して光送受信部２１４に供給する。光送受信部２１４では、レーザダイオード２１４１がＦＳＫ変調部２１２から供給される電気信号を波長が１６１０ｎｍの光信号に変換し、偏光ビームスプリッタ２１４２、コリメータレンズ２１４４を介して１／４波長板２１４５に出射する。１／４波長板２１４５は、コリメータレンズ２１４４から出射される光信号を円偏光に変換して集光レンズ２１４６、および、光ファイバ２１４７を介してＷＤＭ４０に出射する。
【００６５】
ＷＤＭ４０は、カプラ２１６から供給される波長が１６１０ｎｍの光信号と、通信事業者側回線終端装置１０から供給される波長が１５５０ｎｍの光信号を合波して光分岐部５０，５１を介して全ての加入者側回線終端装置に伝送する。なお、全ての加入者側回線終端装置では同様の動作が実行されるので、以下では、加入者側回線終端装置６０を例に挙げて説明する。
【００６６】
加入者側回線終端装置６０の光送受信部６０１は、光分岐部５１から光ファイバ６０１１を介して供給される光信号を、集光レンズ６０１２を介して１／４波長板６０１３に供給する。１／４波長板６０１３は、集光レンズ６０１２から出射される円偏光している光信号をＹ方向の直線偏光に変換し、コリメータレンズ６０１４を介して偏光ビームスプリッタ６０１５に供給する。偏光ビームスプリッタ６０１５は、コリメータレンズ６０１４から出射される光信号を反射してフォトダイオード６０１６に供給する。フォトダイオード６０１６は、光信号を電気信号に変換してＬＰＦ６０３およびＨＰＦ６０４に供給する。前述したように、ＬＰＦ６０３は、光送受信部６０１から供給される電気信号に含まれている低周波成分を通過させてＦＳＫ復調部６０５に出力する。
【００６７】
ＦＳＫ復調部６０５は、ＬＰＦ６０３から供給されるＦＳＫ信号を復調し、ファームウエアを含むパケットを制御部６０６に供給する。制御部６０６は、パケットのヘッド部に付加されている送信先を示す情報を参照し、自己を含む全ての加入者側回線終端装置宛であることから、この情報を取得する。そして、制御部６０６は、制御情報によってファームウエアを更新することが要求されていることを認識し、取得した情報からファームウエアを復元し、このファームウエアによって、既存のファームウエアを更新する。なお、以上のような動作は、全ての加入者側回線終端装置において実行される。
【００６８】
監視装置２１は、ファームウエアの送信が完了すると、つぎに、加入者側回線終端装置のそれぞれに対して、ファームウエアの更新が正常に実行されたか否かを個別に問い合わせする処理を実行する。例えば、加入者側回線終端装置６０を例に挙げて説明すると、監視装置２１の制御部２１１は、加入者側回線終端装置６０を送信先とし、ファームウエアが正常に更新されたか否かを照会する照会情報を有するパケットを生成する。そして、ＦＳＫ変調部２１２によってＦＳＫ変調した後に光送受信部２１４によって光変調して送信する。
【００６９】
加入者側回線終端装置６０は、このようなパケットを受信すると、光送受信部６０１によって復調した後に、ＬＰＦ６０３でＦＳＫ信号を抽出し、ＦＳＫ復調部６０５がＦＳＫ復調した後に制御部６０６に供給する。制御部６０６は、送信先を参照することで、自己宛の情報であることを認識し、また、ファームウエアが正常に更新されたことを照会する情報であることを認識する。なお、他の加入者側回線終端装置は、自己宛ではないので、このパケットは無視する。加入者側回線終端装置６０の制御部６０６は、ファームウエアが正常に更新されたか否かを判定し、判定結果を示す情報を有するとともに、監視装置２１を送信先とし、加入者側回線終端装置６０を送信元とするパケットを生成してＦＳＫ変調部６０２に供給する。ＦＳＫ変調部６０２は、制御部６０６から供給される情報をＦＳＫ変調し、光送受信部６０１に供給する。光送受信部６０１は、ＦＳＫ変調部６０２から供給される電気信号を波長が１６１０ｎｍの光信号に変換して送信する。
【００７０】
監視装置２１は、このような情報を受信すると、送信先を示す情報から自己宛のパケットであるとともに、送信元を示す情報から加入者側回線終端装置６０からのパケットであることを認識する。また、パケットに付加されている情報から、ファームウエアの更新の成否を示す情報であることを認識する。そして、更新の成否を示す情報により、ファームウエアの更新に失敗していると判定した場合には、加入者側回線終端装置６０に対して、ファームウエアを再度送信する動作を実行する。
【００７１】
以上の動作は、全ての加入者側回線終端装置に対して順次実行され、ファームウエアの更新の成否を１台単位で確認し、失敗した場合には、ファームウエアを再度送信する動作を実行する。これにより、全ての加入者側回線終端装置のファームウエアを確実に更新することができる。
【００７２】
つぎに、加入者側回線終端装置のそれぞれの動作状態または設定状態を照会する処理について説明する。加入者側回線終端装置の動作状態としては、例えば、受信光の光強度、映像信号の信号レベル、映像信号のＣ／Ｎ（Carrier to Noise Ratio）比、加入者側回線終端装置の電源の状態、加入者側回線終端装置の筐体内の温度等がある。また、設定状態としては、例えば、帯域制限の状態がある。より詳細には、各加入者には、契約によって視聴できない帯域が存在し、そのような帯域を帯域制限部６０７によって視聴できないように制限することを帯域制限と言う。以下では、動作状態と帯域制限状態を同時に問い合わせる場合を例に挙げて説明する。もちろん、これらを別々に問い合わせするようにしてもよいことは言うまでもない。
【００７３】
監視装置２１の制御部２１１は、加入者側回線終端装置のそれぞれの動作状態と、帯域制限の設定状態を照会する情報を生成する。制御部２１１は、生成した情報に対して、所望の加入者側回線終端装置を指定する情報と、自己を送信元として指定する情報を付加したパケットを生成する。制御部２１１は、このようにして生成したパケットをＦＳＫ変調部２１２に供給する。ＦＳＫ変調部２１２はパケットをＦＳＫ変調した後、光送受信部２１４に供給する。光送受信部２１４は、ＦＳＫ変調部２１２から供給される電気信号を波長が１６１０ｎｍの光信号に変換し、カプラ２１６を介して送信する。なお、以下では、加入者側回線終端装置６０に対してパケットが送信される場合を例に挙げて説明する。
【００７４】
加入者側回線終端装置６０では、光送受信部６０１が光分岐部５１を介してこのようなパケットを受信する。光送受信部６０１は、受信した光信号を電気信号に変換してＬＰＦ６０３とＨＰＦ６０４に供給する。監視装置２１から送信されたＦＳＫ変調が施されたパケットは、ＬＰＦ６０３を介してＦＳＫ復調部６０５に供給される。ＦＳＫ復調部６０５は、ＬＰＦ６０３から出力される信号をＦＳＫ復調して制御部６０６に供給する。制御部６０６は、ＦＳＫ復調部６０５から供給されるパケットの送信先から、自己宛のパケットであることを認識するとともに、付加されている情報から、動作状態と帯域制限の状態を照会する情報であることを認識する。
【００７５】
この結果、制御部６０６は、まず、加入者側回線終端装置６０の動作状態を示す情報を取得する。具体的には、受信光の光強度、映像信号の信号レベル、映像信号のＣ／Ｎ比、加入者側回線終端装置の電源の状態、および、加入者側回線終端装置の筐体内の温度等の情報を取得する。つづいて、制御部６０６は、帯域制限部６０７から帯域制限の状態を示す帯域制限情報を取得する。
【００７６】
制御部６０６は、以上のようにして取得した、加入者側回線終端装置６０の動作状態を示す動作情報と、帯域制限の状態を示す帯域制限情報とに対して、送信先を監視装置２１とし、送信元を自己とするパケットを生成してＦＳＫ変調部６０２に供給する。ＦＳＫ変調部６０２は、制御部６０６から供給されるパケットに対してＦＳＫ変調を施して光送受信部６０１に出力する。光送受信部６０１は、ＦＳＫ変調部６０２から供給されたパケットを波長が１６１０ｎｍの光信号に変換し、監視装置２１に対して送信する。
【００７７】
監視装置２１では、以上のようにして送信されたパケットを、カプラ２１６を介して受信し、光送受信部２１４が電気信号に変換した後、ＦＳＫ復調部２１３がＦＳＫ復調して制御部２１１に供給する。制御部２１１は、パケットの送信先を参照することで自己宛の情報であることを認識するとともに、送信元を参照することで、加入者側回線終端装置６０から送信された情報であると認識する。そして、制御部２１１は、動作情報を参照することで、加入者側回線終端装置６０の動作状態（例えば、異常の有無）を把握することができる。また、制御部２１１は、加入者側回線終端装置６０において設定されている帯域制限に関する情報等を含む帯域制限情報を取得し、当該加入者が契約に基づき視聴できない帯域に関する情報等を含む契約情報と比較することで、帯域制限が正常に実行されているか否かを把握することができる。なお、動作情報から異常の発生が確認された場合には、制御部２１１は、ＬＡＮ２２を介してＰＣ２０に対して所定の情報を送信することで、加入者側回線終端装置６０に異常が発生していることを提示させることができる。また、帯域制限情報と契約情報とが一致しない場合には、契約情報に基づいて帯域制限情報を生成し、加入者側回線終端装置６０に対して、最新の帯域情報を送信し、このような情報を受け取った加入者側回線終端装置６０が最新の情報に基づいて帯域制限部６０７を設定することで、帯域制限を契約に基づいた適切な内容に設定することができる。
【００７８】
以上に説明したように、本発明の実施形態によれば、映像信号とは異なる波長の光信号によって、監視装置２１と加入者側回線終端装置とが情報を授受することができるため、例えば、加入者側回線終端装置のファームウエアを更新する場合には、全ての加入者側回線終端装置に対してファームウエアを送信した後に、加入者側回線終端装置のそれぞれに対して問い合わせを行うようにしたので、全ての加入者側回線終端装置の更新が正常である場合にはファームウエアを１回だけ送信すればよいので、大量の情報を送信する必要がなくなる。また、ファームウエアを送信した後に、加入者側回線終端装置のそれぞれに対して問い合わせを行うことで、全ての加入者側回線終端装置のファームウエアが正常に更新されたか否かを確認することができる。
【００７９】
また、本発明の実施形態によれば、映像信号とは異なる波長の光信号によって、監視装置２１と加入者側回線終端装置とが情報を授受することができるようしたので、例えば、加入者側回線終端装置のそれぞれの動作状態を確実に知ることができる。また、加入者側回線終端装置のそれぞれの帯域制限の状態を通知させ、契約情報と比較することで、帯域制限が正常になされているかを知ることができるとともに、正常でない場合には最新の帯域制限情報を送信することで、帯域制限を正常化することができる。
【００８０】
また、本発明の実施形態によれば、加入者側回線終端装置は、監視装置２１からの照会があった場合にのみ監視装置２１に対して光信号を送信するようにしたので、複数の加入者側回線終端装置が同時に光信号を送信することで混信が発生することを防止できる。
【００８１】
（Ｃ）変形実施形態の説明
以上の実施形態は一例であって、本発明が上述したような場合のみに限定されるものでないことはいうまでもない。例えば、以上の実施形態では、映像信号は１５５０ｎｍの光を用い、ＦＳＫ信号は１６１０ｎｍの光を用いるようにしたが、これ以外の波長の光を用いるようにしてもよい。
【００８２】
また、図３に示す光送受信部２１４を図７に示す構成とし、図５に示す光送受信部６０１を図８に示す構成としてもよい。より詳細には、図７に示す光送受信部２１４では、図３と比較すると、１／４波長板２１４５が除外され、また、偏光ビームスプリッタ２１４２が、偏波に依存しない通常のビームスプリッタ２１４８に置換されている。また、図８に示す光送受信部６０１では、図５と比較すると、１／４波長板６０１３が除外され、また、偏光ビームスプリッタ６０１５が、偏波に依存しない通常のビームスプリッタ６０１８に置換されている。さらに、図１に示す通信事業者側回線終端装置１０から１／４波長板１４が除外される。
【００８３】
このような変形実施形態の場合、通信事業者側回線終端装置１０から送信される１５５０ｎｍの光信号は、ビームスプリッタ６０１８によって、入射する光量の一部が反射されてフォトダイオード６０１６に入射され、残りはレーザダイオード６０１７に入射される。この様な構成において、一方のレーザダイオードから発生した光が、発光している他方のレーザダイオードに入射するのを規制する構成を適用することで、上述の実施例と同様に加入者側回線終端装置の状態を知ることができる。この様な構成としては、例えば、光送受信部２１４、６０１双方において、レーザダイオードおよびビームスプリッタの間に光アイソレータを設ける、この他監視装置２１と加入者側回線終端装置とが半二重通信によって通信を行う構成とする等が挙げられる。尚、ビームスプリッタ２１４８，６０１８の代わりとして公知の構成を適用することができ、例えば、光量の５０％程度を反射し、残りの５０％程度を透過するハーフミラーや、光ファイバを介して伝送された光信号を所定の比率で分配する光カプラ等を用いるようにしてもよい。
【００８４】
また、監視装置２１と加入者側回線終端装置とが半二重通信によって通信を行うような構成によれば、監視装置２１と加入者側回線終端装置のいずれか一方が光信号を送信している場合には、他方は光信号を送信しない。すなわち、一方のレーザダイオードが発光している場合には、他方のレーザダイオードは発光していないので、発光中のレーザダイオードに他方のレーザダイオードからの光信号が入射されることがなくなる。このため、半二重通信を行う場合、レーザダイオード２１４１が発光している際には、レーザダイオード６０１７は発光していないのでレーザダイオード２１４１が発生した光がレーザダイオード６０１７の発振に与える影響を微小とすることができる。同様に、レーザダイオード６０１７が発光している際には、レーザダイオード２１４１は発光していないのでレーザダイオード６０１７が発生した光がレーザダイオード２１４１の発振に与える影響を微小とすることができる。なお、通信事業者側回線終端装置から発信される光信号の波長は１５５０ｎｍであり、レーザダイオード６０１７の発振波長である１６１０ｎｍとは異なるため、発振に与える影響は僅少である。
【００８５】
また、図５に示す光送受信部６０１を図９に示す構成としてもよい。より詳細には、図９に示す光送受信部６０１では、図５と比較すると、コリメータレンズ６０１４と偏光ビームスプリッタ６０１５の間にＷＤＭ６０２０が追加されるとともにフォトダイオード６０２１が追加されている。ＷＤＭ６０２０は、偏光ビームスプリッタ６０１５から出射される波長が１６１０ｎｍの光信号を透過してコリメータレンズ６０１４に供給する。また、ＷＤＭ６０２０は、コリメータレンズ６０１４から出射される光信号のうち波長が１５５０ｎｍの光信号を分波してフォトダイオード６０２１に供給するとともに、波長が１６１０ｎｍの光信号を偏光ビームスプリッタ６０１５に供給する。フォトダイオード６０２１は、ＨＰＦ６０４に接続され、波長が１５５０ｎｍの光信号に含まれる映像信号を電気信号に変換して出力する。フォトダイオード６０１６は、ＬＰＦ６０３に接続され、波長が１６１０ｎｍの光信号に含まれるＦＳＫ信号を電気信号に変換して出力する。なお、図９に示す変形実施形態では、映像信号とＦＳＫ信号を分離する必要がないことから、図４に示すＬＰＦ６０３およびＨＰＦ６０４については除外し、フォトダイオード６０１６はＦＳＫ復調部６０５に直接接続し、フォトダイオード６０２１は帯域制限部６０７に直接接続するようにしてもよい。
【００８６】
図９に示す変形実施形態の場合、通信事業者側回線終端装置１０から送信される１５５０ｎｍの映像信号は、ＷＤＭ６０２０によって分波されてフォトダイオード６０２１によって電気信号に変換される。ＷＤＭ６０２０は、偏光ビームスプリッタ６０１５に比較して挿入損失が小さいので、図９に示す変形実施形態では、図５に示す実施形態に比較して、映像信号の劣化を防ぐことができる。なお、前述したように、ＬＰＦ６０３およびＨＰＦ６０４については除外可能である。また、ＷＤＭ６０２０は２波長用であり、比較的安価である。このため、図９に示す構成を採用した場合でもコストの増加を抑えることができる。
【００８７】
図９に示す変形実施形態では、図５に示す実施形態にＷＤＭ６０２０およびフォトダイオード６０２１を追加するようにしたが、図８に示す実施形態に対して、図９と同様に、ＷＤＭ６０２０およびフォトダイオード６０２１を追加するようにしてもよい。そのような構成の場合であっても、前述の場合と同様の効果を得ることができる。
【００８８】
また、図３および図５に示す光学系は一例であって、これ以外の光学系を用いるようにしてもよい。例えば、偏光ビームスプリッタ２１４２，６０１５とフォトダイオード２１４３，６０１６との間にビームを整形するためのシリンドリカルレンズを配置するようにしてもよい。
【００８９】
また、以上の実施形態では、加入者側回線終端装置は監視装置２１からの照会があった場合にのみ光信号を送信するようにしたが、例えば、各加入者側回線終端装置に対して応答可能なタイミングを割り当て、割り当てられたタイミングで加入者側回線終端装置が光信号を送信するようにしてもよい。
【００９０】
また、以上の実施形態では、加入者側回線終端装置の動作状態および設定状態を示す情報を監視装置２１に送信するようにしたが、これら以外の情報を送信するようにしてもよい。また、ファームウエア以外の情報を監視装置２１から送信するようにしてもよい。
【００９１】
また、以上の実施形態では、ＰＣ２０と監視装置２１をＬＡＮ２２によって接続するようにしたが、これ以外の方法によって接続するようにしてもよい。
【００９２】
また、以上の実施形態では、ＦＴＴＨ方式における加入者側回線終端装置の監視および制御の例を示したが、ＨＦＣ（Hybrid Fiber-Coaxial）方式の伝送システムにおける光端末装置の監視および制御に適用してもよい。このような場合、ＨＦＣ方式の伝送システムは通常双方向通信が可能な構成とされているため、例えば、上り信号に対してＦＳＫ信号を重畳する構成とすることで、ＨＦＣ方式の伝送システムにおける光端末装置の監視および制御にも本発明を適用する事ができる。
【符号の説明】
【００９３】
１０  通信事業者側回線終端装置
１１  光送信部
１２  光アンプ
１４  １／４偏光板（規制手段の一部）
２０  ＰＣ
２１  監視部（監視装置）
２２  ＬＡＮ
３０  光分岐部
４０  ＷＤＭ
５０，５１  光分岐部
６０  加入者側回線終端装置（光端末装置）
２１１  制御部（第１制御手段）
２１２  ＦＳＫ変調部
２１３  ＦＳＫ復調部
２１４  光送受信部（光送受信器）
６０１  光送受信部（光送受信器）
６０２  ＦＳＫ変調部
６０３  ＬＰＦ
６０４  ＨＰＦ
６０５  ＦＳＫ復調部
６０６  制御部（第２制御手段）
６０７  帯域制限部
２１４１  レーザダイオード（第１発光手段、発光手段）
２１４２  偏光ビームスプリッタ（第１光学系の一部、規制手段の一部、第１偏光ビームスプリッタ）
２１４３  フォトダイオード（第１光電変換手段、光電変換手段）
２１４４  コリメータレンズ（第１光学系の一部、光学系の一部）
２１４５  １／４波長板（第１光学系の一部、規制手段の一部、第１の偏光変換手段、光学系の一部）
２１４６  集光レンズ（第１光学系の一部、光学系の一部）
２１４７  光ファイバ
６０１１  光ファイバ
６０１２  集光レンズ（第２光学系の一部）
６０１３  １／４波長板（第２光学系の一部、規制手段の一部、第２の偏光変換手段）
６０１４  コリメータレンズ（第２光学系の一部）
６０１５  偏光ビームスプリッタ（第２光学系の一部、規制手段の一部、第２偏光ビームスプリッタ）
６０１６  フォトダイオード（第２光電変換手段）
６０１７  レーザダイオード（第２発光手段）
６０２０  ＷＤＭ（分波手段）
６０２１  フォトダイオード（第３光電変換手段）
【図１】
0006469597.tif 000002
【図２】
0006469597.tif 000003
【図３】
0006469597.tif 000004
【図４】
0006469597.tif 000005
【図５】
0006469597.tif 000006
【図６】
0006469597.tif 000007
【図７】
0006469597.tif 000008
【図８】
0006469597.tif 000009
【図９】
0006469597.tif 000010
【図１０】
0006469597.tif 000011
【図１１】
0006469597.tif 000012